(57)【要約】      （修正有）【課題】外部光による反射率を減少させながら、視野角による表示品質の差を改善した表示装置を提供する。【解決手段】表示装置ＤＳは、有機電界発光素子を含む表示パネルＤＰと、表示パネルＤＰの上に配置され、平面上において互いに離隔した複数のカラーフィルタ部を含むカラーフィルタ部材ＣＦＰと、を含み、複数のカラーフィルタ部のうち少なくとも一つのカラーフィルタ部は、平均直径が５０ｎｍ以上５００ｎｍ以下の散乱剤を含み、外部光による反射を低減させながらも視野角による色差を減らすことで、改善された表示品質を示す。カラーフィルタ部材ＣＦＰは、第１波長領域の光を透過させる第１カラーフィルタ部ＣＣＦ１と、第１波長領域とは異なる第２波長領域の光を透過させる第２カラーフィルタ部ＣＣＦ２と、を含んでもよい。【選択図】図４
2020034900.tif 000002
【特許請求の範囲】
【請求項１】
有機電界発光素子を含む表示パネルと、
前記表示パネルの上に配置され、平面上において互いに離隔した複数のカラーフィルタ部を含むカラーフィルタ部材と、を含み、
前記複数のカラーフィルタ部のうち少なくとも一つのカラーフィルタ部は、平均直径が５０ｎｍ以上５００ｎｍ以下の散乱剤を含む表示装置。
【請求項２】
前記カラーフィルタ部材は、
第１波長領域の光を透過させる第１カラーフィルタ部と、
前記第１波長領域とは異なる第２波長領域の光を透過させる第２カラーフィルタ部と、を含む請求項１に記載の表示装置。
【請求項３】
前記カラーフィルタ部材は、
赤色光を透過させる第１カラーフィルタ部と、
緑色光を透過させる第２カラーフィルタ部と、を含み、
前記第１カラーフィルタ部及び前記第２カラーフィルタ部は、前記散乱剤を含む請求項１に記載の表示装置。
【請求項４】
前記カラーフィルタ部材は第３カラーフィルタ部を更に含み、
前記第３カラーフィルタ部は前記散乱剤を含む請求項３に記載の表示装置。
【請求項５】
前記第３カラーフィルタ部は、透明感光樹脂からなる請求項４に記載の表示装置。
【請求項６】
前記第３カラーフィルタ部は、青色光を透過させる請求項４に記載の表示装置。
【請求項７】
前記第１カラーフィルタ部に含まれた前記散乱剤の第１含有量は、前記第２カラーフィルタ部に含まれた前記散乱剤の第２含有量、及び前記第３カラーフィルタ部に含まれた前記散乱剤の第３含有量以上である請求項４に記載の表示装置。
【請求項８】
前記第１含有量は、前記第３含有量より大きい請求項７に記載の表示装置。
【請求項９】
前記第１カラーフィルタ部に含まれた前記散乱剤の第１含有量は、前記第１カラーフィルタ部の全体重量を基準に０ｗｔ％より大きく１０ｗｔ％以下である請求項３に記載の表示装置。
【請求項１０】
前記散乱剤は、ＴｉＯ2、ＺｎＯ、Ａｌ2Ｏ3、ＳｉＯ2、中空シリカ、及びポリスチレン粒子のうち少なくとも一つを含む請求項１に記載の表示装置。
【請求項１１】
前記カラーフィルタ部材は前記カラーフィルタ部の上に配置された有機層を更に含み、前記有機層は前記散乱剤を含む請求項１に記載の表示装置。
【請求項１２】
前記少なくとも一つのカラーフィルタ部に含まれた前記散乱剤の含有量は、前記カラーフィルタ部の全体重量を基準に０ｗｔ％より大きく１０ｗｔ％以下であり、
前記有機層に含まれた前記散乱剤の含有量は、前記有機層の全体重量を基準に５ｗｔ％以上５０ｗｔ％以下である請求項１１に記載の表示装置。
【請求項１３】
前記カラーフィルタ部材は前記カラーフィルタ部の上に配置された有機層を更に含み、前記有機層に含まれた前記散乱剤の第４含有量は、前記第１乃至第３含有量それぞれより大きい請求項７に記載の表示装置。
【請求項１４】
前記カラーフィルタ部材は、前記カラーフィルタ部の間に配置された遮光部を更に含む請求項１に記載の表示装置。
【請求項１５】
前記表示パネルは、前記有機電界発光素子の上に配置された封止部材を更に含む請求項１に記載の表示装置。
【請求項１６】
前記カラーフィルタ部材は、前記封止部材の上に直接配置される請求項１５に記載の表示装置。
【請求項１７】
前記封止部材と前記カラーフィルタ部材との間に配置された入力感知ユニットを更に含み、
前記カラーフィルタ部材は、前記入力感知ユニットの上に直接配置される請求項１５に記載の表示装置。
【請求項１８】
前記カラーフィルタ部材は、前記カラーフィルタ部の上に配置されたベース基板を更に含む請求項１に記載の表示装置。
【請求項１９】
前記カラーフィルタ部それぞれにおけるヘーズ値は３０％以下である請求項１に記載の表示装置。
【請求項２０】
赤色画素領域、緑色画素領域、及び青色画素領域を含む表示装置において、
表示パネル、及び前記表示パネルの上に配置されたカラーフィルタ部材を含み、
前記カラーフィルタ部材は、
前記赤色画素領域に対応する赤色カラーフィルタ部と、
前記緑色画素領域に対応する緑色カラーフィルタ部と、
前記青色画素領域に対応する青色カラーフィルタ部と、を含み、
前記赤色カラーフィルタ部及び前記緑色カラーフィルタ部は、平均直径が５０ｎｍ以上５００ｎｍ以下の散乱剤を含む表示装置。
【請求項２１】
前記表示パネルは、
前記赤色画素領域に対応し、赤色光を放出する第１発光層と、
前記緑色画素領域に対応し、緑色光を放出する第２発光層と、
前記青色画素領域に対応し、青色光を放出する第３発光層と、を含む有機電界発光表示パネルである請求項２０に記載の表示装置。
【請求項２２】
有機電界発光表示パネルと、
前記有機電界発光表示パネルの上に配置され、赤色カラーフィルタ部、緑色カラーフィルタ部、及び青色カラーフィルタ部を含むカラーフィルタ部材と、を含み、
前記赤色カラーフィルタ部、前記緑色カラーフィルタ部、及び前記青色カラーフィルタ部それぞれは、平均直径が５０ｎｍ以上５００ｎｍ以下の散乱剤を含み、
赤色カラーフィルタ部における前記散乱剤の含有量は、前記緑色カラーフィルタ部及び前記青色カラーフィルタ部それぞれにおける前記散乱剤の含有量以上である表示装置。
【請求項２３】
有機電界発光素子を含む表示パネルと、
前記表示パネルの上に配置されたカラーフィルタ部材と、を含み、
前記カラーフィルタ部材は、平面上において互いに離隔した複数のカラーフィルタ部、及び前記カラーフィルタ部の上に配置された有機層を含み、
前記複数のカラーフィルタ部のうち少なくとも一つのカラーフィルタ部、及び前記有機層は、平均直径が５０ｎｍ以上５００ｎｍ以下の散乱剤を含む表示装置。
【請求項２４】
前記有機層に含まれた前記散乱剤の含有量は、前記カラーフィルタ部それぞれに含まれた前記散乱剤の含有量より大きい請求項２３に記載の表示装置。
【請求項２５】
前記カラーフィルタ部材は、
赤色光を透過させる第１カラーフィルタ部と、
緑色光を透過させる第２カラーフィルタ部と、
透明感光樹脂からなる透明フィルタであるか、または青色光を透過させる青色フィルタである第３カラーフィルタ部と、を含み、
前記第１カラーフィルタ部、前記第２カラーフィルタ部、及び前記有機層は前記散乱剤を含み、前記第３カラーフィルタ部は前記散乱剤を含まない請求項２３に記載の表示装置。
【発明の詳細な説明】
【技術分野】
【０００１】
本発明は表示装置に関し、より詳しくは、外光反射を防止するためのカラーフィルタ部材を含む表示装置に関する。
【背景技術】
【０００２】
テレビジョン、携帯電話、タブレットコンピュータ、ナビゲーション、ゲーム機などのようなマルチメディア装置に使用される多様な表示装置が開発されている。このような表示装置を使用する際、外部光が表示装置内に提供されれば、提供された外部光が表示パネル内の電極などから反射し、表示装置の表示品質が低下するようになる。
【０００３】
それによって、外部から提供される光による反射度を低減させ、表示装置の表示品質を改善するための研究が求められている。
【発明の概要】
【発明が解決しようとする課題】
【０００４】
本発明の目的は、外部光による反射率を減少させながら、視野角による表示品質の差を改善した表示装置を提供することである。
【０００５】
本発明は、カラーフィルタ部材から外部光を散乱させて視野角による色差及び輝度差を減らすことで、表示品質を改善した表示装置を提供することを目的とする。
【０００６】
また、本発明は透過率の減少を最小化しながら、外部光による反射率を減少させ、視野角による表示品質の差を改善した表示装置を提供することを目的とする。
【課題を解決するための手段】
【０００７】
一実施例は、有機電界発光素子を含む表示パネルと、前記表示パネルの上に配置され、平面上において互いに離隔した複数のカラーフィルタ部を含むカラーフィルタ部材と、を含み、前記複数のカラーフィルタ部のうち少なくとも一つのカラーフィルタ部は、平均直径が５０ｎｍ以上５００ｎｍ以下の散乱剤を含む表示装置を提供する。
【０００８】
前記カラーフィルタ部材は、第１波長領域の光を透過させる第１カラーフィルタ部と、前記第１波長領域とは異なる第２波長領域の光を透過させる第２カラーフィルタ部と、を含む。
【０００９】
前記カラーフィルタ部材は、赤色光を透過させる第１カラーフィルタ部と、緑色光を透過させる第２カラーフィルタ部と、を含み、前記第１カラーフィルタ部及び前記第２カラーフィルタ部は、前記散乱剤を含む。
【００１０】
前記カラーフィルタ部材は第３カラーフィルタ部を更に含み、前記第３カラーフィルタ部は前記散乱剤を含む。
【００１１】
前記第３カラーフィルタ部は、透明感光樹脂からなる。
【００１２】
前記第３カラーフィルタ部は、青色光を透過させる。
【００１３】
前記第１カラーフィルタ部に含まれた前記散乱剤の第１含有量は、前記第２カラーフィルタ部に含まれた前記散乱剤の第２含有量、及び前記第３カラーフィルタ部に含まれた前記散乱剤の第３含有量以上である。
【００１４】
前記第１含有量は、前記第３含有量より大きい。
【００１５】
前記第１カラーフィルタ部に含まれた前記散乱剤の第１含有量は、前記第１カラーフィルタ部の全体重量を基準に０ｗｔ％より大きく１０ｗｔ％以下である。
【００１６】
前記散乱剤は、ＴｉＯ2、ＺｎＯ、Ａｌ2Ｏ3、ＳｉＯ2、中空シリカ、及びポリスチレン粒子のうち少なくとも一つを含む。
【００１７】
前記カラーフィルタ部材は前記カラーフィルタ部の上に配置された有機層を更に含み、前記有機層は前記散乱剤を含む。
【００１８】
前記少なくとも一つのカラーフィルタ部に含まれた前記散乱剤の含有量は、前記カラーフィルタ部の全体重量を基準に０ｗｔ％より大きく１０ｗｔ％以下であり、前記有機層に含まれた前記散乱剤の含有量は、前記有機層の全体重量を基準に５ｗｔ％以上５０ｗｔ％以下である。
【００１９】
前記カラーフィルタ部材は前記カラーフィルタ部の上に配置された有機層を更に含み、前記有機層に含まれた前記散乱剤の第４含有量は、前記第１乃至第３含有量それぞれより大きい。
【００２０】
前記カラーフィルタ部材は、前記カラーフィルタ部の間に配置された遮光部を更に含む。
【００２１】
前記表示パネルは、前記有機電界発光素子の上に配置された封止部材を更に含む。
【００２２】
前記カラーフィルタ部材は、前記封止部材の上に直接配置される。
【００２３】
前記封止部材と前記カラーフィルタ部材との間に配置された入力感知ユニットを更に含み、前記カラーフィルタ部材は、前記入力感知ユニットの上に直接配置される。
【００２４】
前記カラーフィルタ部材は、前記カラーフィルタ部の上に配置されたベース基板を更に含む。
【００２５】
前記カラーフィルタ部それぞれにおけるヘーズ値は３０％以下である。
【００２６】
一実施例は、赤色画素領域、緑色画素領域、及び青色画素領域を含む表示装置において、表示パネルと、前記表示パネルの上に配置されたカラーフィルタ部材と、を含み、前記カラーフィルタ部材は、前記赤色画素領域に対応する赤色カラーフィルタ部と、前記緑色画素領域に対応する緑色カラーフィルタ部と、前記青色画素領域に対応する青色カラーフィルタ部と、を含み、前記赤色カラーフィルタ部及び前記緑色カラーフィルタ部は、平均直径が５０ｎｍ以上５００ｎｍ以下の散乱剤を含む表示装置を提供する。
【００２７】
前記表示パネルは、前記赤色画素領域に対応し、赤色光を放出する第１発光層と、前記緑色画素領域に対応し、緑色光を放出する第２発光層と、前記青色画素領域に対応し、青色光を放出する第３発光層と、を含む有機電界発光表示パネルである。
【００２８】
一実施例は、有機電界発光表示パネルと、前記有機電界発光表示パネルの上に配置され、赤色カラーフィルタ部、緑色カラーフィルタ部、及び青色カラーフィルタ部を含むカラーフィルタ部材と、を含み、前記赤色カラーフィルタ部、前記緑色カラーフィルタ部、及び前記青色カラーフィルタ部それぞれは、平均直径が５０ｎｍ以上５００ｎｍ以下の散乱剤を含み、赤色カラーフィルタ部における前記散乱剤の含有量は、前記緑色カラーフィルタ部及び前記青色カラーフィルタ部それぞれにおける前記散乱剤の含有量以上である表示装置を提供する。
【００２９】
一実施例は、有機電界発光素子を含む表示パネルと、前記表示パネルの上に配置されたカラーフィルタ部材と、を含み、前記カラーフィルタ部材は、平面上において互いに離隔した複数のカラーフィルタ部、及び前記カラーフィルタ部の上に配置された有機層を含み、前記複数のカラーフィルタ部のうち少なくとも一つのカラーフィルタ部、及び前記有機層は、平均直径が５０ｎｍ以上５００ｎｍ以下の散乱剤を含む表示装置を提供する。
【００３０】
前記有機層に含まれた前記散乱剤の含有量は、前記カラーフィルタ部それぞれに含まれた前記散乱剤の含有量より大きい。
【００３１】
前記カラーフィルタ部材は、赤色光を透過させる第１カラーフィルタ部と、緑色光を透過させる第２カラーフィルタ部と、透明感光樹脂からなる透明フィルタであるか、または青色光を透過させる青色フィルタである第３カラーフィルタ部と、を含み、前記第１カラーフィルタ部、前記第２カラーフィルタ部、及び前記有機層は前記散乱剤を含み、前記第３カラーフィルタ部は前記散乱剤を含まない。
【発明の効果】
【００３２】
一実施例の表示装置は、表示パネルの上に配置されたカラーフィルタ部材を含み、カラーフィルタ部材に散乱剤を含むことで輝度減少を最小化しながらも外部光による反射を減らし、視野角による色差を低減させることができる。
【００３３】
また、一実施例の表示装置は、カラーフィルタ部のうち少なくとも一つに散乱剤を含むことで、視野角による表示品質の差を改善することができる。
【図面の簡単な説明】
【００３４】
【図１】一実施例の表示装置の斜視図である。
【図２】図１のＩ−Ｉ'線に対応する断面図である。
【図３】一実施例による表示パネルの平面図である。
【図４】図３のＩＩ−ＩＩ'線に対応する一実施例の表示装置の断面図である。
【図５】一実施例による有機電界発光素子の断面図である。
【図６】一実施例によるカラーフィルタ部材の断面図である。
【図７】一実施例による散乱剤の断面図である。
【図８】散乱剤のサイズ別視野角による輝度特性を示すグラフである。
【図９】一実施例によるカラーフィルタ部材の断面図である。
【図１０】一実施例によるカラーフィルタ部材の断面図である。
【図１１】正面輝度とヘーズ値の関係を示すグラフである。
【図１２】散乱剤の含有量による正面輝度の変化を示すグラフである。
【図１３】散乱剤の含有量による色差を示すグラフである。
【図１４】カラーフィルタ部の厚さによる色差を示すグラフである。
【図１５】一実施例によるカラーフィルタ部材の断面図である。
【図１６】一実施例によるカラーフィルタ部材の断面図である。
【図１７】視野角による色差を示すグラフである。
【図１８】一実施例の表示装置の断面図である。
【図１９】一実施例の表示装置の断面図である。
【図２０】一実施例によるカラーフィルタ部材の断面図である。
【発明を実施するための形態】
【００３５】
本発明は、多様な変更を加えることができ、多様な形態を有することができるゆえ、特定の実施例を図面に例示し、本文に詳細に説明する。しかし、これは本発明を特定な開示形態に対して限定しようとするのではなく、本発明の思想及び技術範囲に含まれる全ての変更、均等物又は代替物を含むと理解すべきである。
【００３６】
本明細書において、ある構成要素（または領域、層、部分など）が他の構成要素の「上にある」、または「結合される」と表現される場合、それは他の構成要素の上に直接配置・接続・結合され得るか、またはそれらの間に第３の構成要素が配置され得ることを意味する。
【００３７】
一方、本出願において、「直接配置」されるとは、層、膜、領域、板などの部分と他の部分との間に追加される層、膜、領域、板などがないことを意味する可能性がある。例えば、「直接配置」されるとは、２つの層または２つの部材の間に接着部材などの追加の部材を使用せずに配置することを意味する可能性がある。
【００３８】
同じ図面符号は同じ構成要素を指す。また、図面において、構成要素の厚さ、割合、及び寸法は技術的内容の効果的な説明のために誇張されている。
【００３９】
「及び／または」は、関連する構成が定義する一つ以上の組み合わせを全て含む。
【００４０】
第１、第２などの用語は多様な構成要素を説明するのに使用されるが、前記構成要素は前記用語に限らない。前記用語は一つの構造要素を他の構成要素から区別する目的にのみ使用される。例えば、本発明の権利範囲を逸脱しないながらも第１構成要素は第２構成要素と称されてもよく、同様に第２構成要素が第１構成要素と称されてもよい。単数の表現は、文脈上明白に異なるように意味しない限り、複数の表現を含む。
【００４１】
また、「下に」、「下側に」、「上に」、「上側に」などの用語は、図面に示した構成の相関関係を説明するために使用される。前記用語は相対的な概念であって、図面に示した方向を基準に説明される。
【００４２】
異なるように定義されない限り、本明細書で使用された全ての用語（技術的及び科学的用語を含む）は、本発明の属する技術分野の当業者によって一般的に理解されるようなものと同じ意味を有する。また、一般的に使用される辞書に定義されている用語のような用語は、関連技術の脈絡での意味と一致する意味を有すると解釈すべきであり、理想的な、または過度に形式的な意味に解釈されない限り、明示的にここで定義される。
【００４３】
「含む」または「有する」などの用語は明細書の上に記載された特徴、数字、ステップ、動作、構成要素、部品またはこれらを組み合わせたものが存在することを指定するものであって、一つまたはそれ以上の他の特徴や数字、ステップ、動作、構成要素、部分品またはこれらを組み合わせたものの存在または付加可能性を予め排除しないと理解すべきである。
【００４４】
以下、図面を参照して、本発明の一実施例による表示装置について説明する。
【００４５】
図１は一実施例の表示装置の斜視図であり、図２は一実施例の表示装置の断面図である。図２は、図１のＩ−Ｉ'線に対応する部分を示す断面図である。図３は一実施例の表示パネルの平面図であり、図４は図３のＩＩ−ＩＩ'線に対応する部分を示す断面図である。つまり、図４は一実施例の表示装置の断面図である。図５は、一実施例の表示装置に含まれた有機電界発光素子の一例示を示す断面図である。
【００４６】
図１を参照すると、表示装置ＤＳは表示面ＩＳを介して映像ＩＭを表示する。図１においては、表示面ＩＳが第１方向軸ＤＲ１、及び第１方向軸ＤＲ１と交差する第２方向軸ＤＲ２が定義する面と平行するように示している。しかし、これは例示的なものであって、他の実施例において、表示装置ＤＳの表示面ＩＳは曲がった形状を有してもよい。
【００４７】
表示面ＩＳの法線方向、つまり、表示装置ＤＳの厚さ方向は第３方向軸ＤＲ３が指示する方向である。各部材の前面（または上面）と背面（または下面）は、第３方向軸ＤＲ３によって区分される。しかし、第１乃至第３方向軸ＤＲ１、ＤＲ２、ＤＲ３が指示する方向は相対的な概念であり、他の方向に変換されてもよい。
【００４８】
図１において、表示装置ＤＳとして携帯用電子機器を例示的に示している。しかし、表示装置ＤＳは、テレビ、モニタ、または外部広告板のような大型電子機器をはじめ、パソコン、ノートパソコン、ＰＤＡ、カーナビゲーションユニット、ゲーム機、スマートフォン、タブレット、及びカメラのような中小型電子装置などに使用されてもよい。また、これらは単に実施例として提示されたものであって、本発明の概念から逸脱しない限り他の電子機器に採用されてもよい。
【００４９】
表示面ＩＳは、映像ＩＭが表示される表示領域ＤＡ、及び表示領域ＤＡに隣接した非表示領域ＮＤＡを含む。非表示領域ＮＤＡは、映像が表示されない領域である。図１には、映像ＩＭの一例として時計ウィンドウ及びアプリケーションアイコンを示している。
【００５０】
表示領域ＤＡは四角形状である。非常時領域ＮＤＡは、表示領域ＤＡを囲む。但し、これに限らず、表示領域ＤＡの形状と非表示領域ＮＤＡの形状は相対的にデザインされてもよい。また、表示装置ＤＳの前面に非表示領域ＮＤＡが存在しなくてもよい。
【００５１】
一実施例において、表示装置ＤＳは、表示パネルＤＰ、及び表示パネルＤＰの上に配置されるカラーフィルタ部材ＣＦＰを含む。表示パネルＤＰは、有機電界発光素子ＯＥＬ−１、ＯＥＬ−２、ＯＥＬ−３を含む。つまり、表示パネルＤＰは有機電界発光表示パネルである。
【００５２】
また、一実施例の表示装置ＤＳにおいて、カラーフィルタ部材ＣＦＰは、表示装置ＤＳの外部から提供される光による反射を最少化する反射防止部材である。例えば、カラーフィルタ部材ＣＦＰは外部光のうち一部を遮断する。カラーフィルタ部材ＣＦＰは、表示パネルＤＰの上に配置されて外部光による反射を減少させながらも、輝度低下を最小化する。
【００５３】
一実施例において、表示パネルＤＰは、ベース層ＢＬ、ベース層ＢＬの上に提供された回路層ＤＰ−ＣＬ、及び表示素子層ＤＰ−ＯＥＬを含む。一実施例において、ベース層ＢＬ、回路層ＤＰ−ＣＬ、及び表示素子層ＤＰ−ＯＥＬは、第３方向軸ＤＲ３の方向に順次に積層される。
【００５４】
ベース層ＢＬは、表示素子層ＥＰ−ＯＥＬが配置されるベース面を提供する部材である。ベース層ＢＬは、ガラス基板、金属基板、プラスチック基板などである。しかし、実施例はこれに限らず、ベース層ＢＬは無機層、有機層、または複合材料層であってもよい。
【００５５】
一実施例において、回路層ＤＰ−ＣＬはベース層ＢＬの上に配置されるが、回路層ＤＰ−ＣＬは複数のトランジスタ（図示せず）を含む。トランジスタ（図示せず）は、それぞれ制御電極、入力電極、及び出力電極を含む。例えば、回路層ＤＰ−ＣＬは有機電界発光素子ＯＥＬ−１、ＯＥＬ−２、ＯＥＬ−３を駆動するためのスイッチングトランジスタ及び駆動トランジスタを含んでもよい。
【００５６】
表示素子層ＤＰ−ＯＥＬは、有機電界発光素子ＯＥＬ−１、ＯＥＬ−２、ＯＥＬ−３、及び封止部材ＴＦＥを含む。
【００５７】
封止部材ＴＦＥは、有機電界発光素子ＯＥＬ−１、ＯＥＬ−２、ＯＥＬ−３の上に配置される。封止部材ＴＦＥは、有機電界発光素子ＯＥＬ−１、ＯＥＬ−２、ＯＥＬ−３をカバーする。有機電界発光素子ＯＥＬ−１、ＯＥＬ−２、ＯＥＬ−３は、封止部材ＴＦＥによって密封される。
【００５８】
図３は、一実施例の表示装置ＤＳの一部を拡大して示す平面図である。図４は一実施例の表示装置ＤＳの断面図であって、図４は図３のＩＩ−ＩＩ'線に対応する部分を示す断面図である。
【００５９】
図３及び図４を参照すると、表示装置ＤＳは、非発光領域ＮＰＸＡ、及び発光領域ＰＸＡ−Ｒ、ＰＸＡ−Ｇ、ＰＸＡ−Ｂを含む。発光領域ＰＸＡ−Ｒ、ＰＸＡ−Ｇ、ＰＸＡ−Ｂそれぞれは、有機電界発光素子ＯＥＬ−１、ＯＥＬ−２、ＯＥＬ−３それぞれから生成された光が放出される領域である。発光領域ＰＸＡ−Ｒ、ＰＸＡ−Ｇ、ＰＸＡ−Ｂそれぞれの面積は互いに異なってもよいが、この際、面積は平面上から見た際の面積を意味する。
【００６０】
発光領域ＰＸＡ−Ｒ、ＰＸＡ−Ｇ、ＰＸＡ−Ｂは、有機電界発光素子ＯＥＬ−１、ＯＥＬ−２、ＯＥＬ−３から生成される光のカラーに応じて複数個のグループに区分される。図３及び図４に示した一実施例の表示装置ＤＳには、赤色光、緑色光、青色光を発光する３つの発光領域ＰＸＡ−Ｒ、ＰＸＡ−Ｇ、ＰＸＡ−Ｂを例示的に示している。例えば、一実施例の表示装置ＤＳは、互いに区分される赤色発光領域ＰＸＡ−Ｒ、緑色発光領域ＰＸＡ−Ｇ、及び青色発光領域ＰＸＡ−Ｂを含んでもよい。
【００６１】
一実施例において、表示パネルＤＰは、互いに異なる波長領域の光を放出する複数の有機電界発光素子ＯＥＬ−１、ＯＥＬ−２、ＯＥＬ−３を含む。複数の有機電界発光素子ＯＥＬ−１、ＯＥＬ−２、ＯＥＬ−３は、互いに異なる色の光を放出する。例えば、一実施例において、表示パネルＤＰは赤色光を放出する第１有機電界発光素子ＯＥＬ−１、緑色光を放出する第２有機電界発光素子ＯＥＬ−２、及び青色光を放出する第３有機電界発光素子ＯＥＬ−３を含んでもよい。しかし、実施例はこれに限らず、第１乃至第３有機電界発光素子ＯＥＬ−１、ＯＥＬ−２、ＯＥＬ−３は、同じ波長領域の光を放出するか、少なくとも一つが異なる波長領域の光を放出してもよい。
【００６２】
図３及び図４に示した一実施例の表示装置ＤＳにおいて、発光領域ＰＸＡ−Ｒ、ＰＸＡ−Ｇ、ＰＸＡ−Ｂは、有機電界発光素子ＯＥＬ−１、ＯＥＬ−２、ＯＥＬ−３の発光層ＥＭＬ−１、ＥＭＬ−２、ＥＭＬ−３から発光するカラーに応じて異なる面積を有する。例えば、図３及び図４を参照すると、一実施例の表示パネルＤＰにおいては、青色光を放出する第３有機電界発光素子ＯＥＬ−３の青色発光領域ＰＸＡ−Ｂが最も大きい面積を有し、緑色光を生成する第２有機電界発光素子ＯＥＬ−２の緑色発光領域ＰＸＡ−Ｇが最も小さい面積を有してもよい。しかし、実施例はこれに限らず、発光領域ＰＸＡ−Ｒ、ＰＸＡ−Ｇ、ＰＸＡ−Ｂは赤色光、緑色光、青色光以外の他の色の光を発光するか、発光領域ＰＸＡ−Ｒ、ＰＸＡ−Ｇ、ＰＸＡ−Ｂは同じ面積を有するか、または図３に示したものとは異なる面積割合で発光領域ＰＸＡ−Ｒ、ＰＸＡ−Ｇ、ＰＸＡ−Ｂが提供されてもよい。
【００６３】
発光領域ＰＸＡ−Ｒ、ＰＸＡ−Ｇ、ＰＸＡ−Ｂそれぞれは、画素定義膜ＰＤＬで区分される領域である。非発光領域ＮＰＸＡは隣り合う発光領域ＰＸＡ−Ｒ、ＰＸＡ−Ｇ、ＰＸＡ−Ｂの間の領域であって、画素定義膜ＰＤＬと対応する領域である。一方、本明細書において、発光領域ＰＸＡ−Ｒ、ＰＸＡ−Ｇ、ＰＸＡ−Ｂそれぞれは、画素（Ｐｉｘｅｌ)に対応する。
【００６４】
画素定義膜ＰＤＬは、高分子樹脂からなる。例えば、画素定義膜ＰＤＬは、ポリアクリレート系樹脂、またはポリイミド系樹脂を含んで形成されてもよい。また、画素定義膜ＰＤＬは、高分子樹脂以外に無機物を更に含んで形成されてもよい。一方、画素定義膜ＰＤＬは、光吸収物質を含んで形成されるか、ブラック顔料またはブラック染料を含んで形成される。ブラック顔料またはブラック染料を含んで形成された画素定義膜ＰＤＬは、ブラック画素定義膜を具現する。画素定義膜ＰＤＬを形成する際、ブラック顔料またはブラック染料としてはカーボンブラックなどを使用してもよいが、実施例はこれに限らない。
【００６５】
また、画素定義膜ＰＤＬは無機物からなる。例えば、画素定義膜ＰＤＬは、窒化ケイ素（ＳｉＮｘ）、酸化ケイ素（ＳｉＯｘ）、窒酸化ケイ素（ＳｉＯｘＮｙ）などを含んで柄形成されてもよい。画素定義膜ＰＤＬは、発光領域ＰＸＡ−Ｒ、ＰＸＡ−Ｇ、ＰＸＡ−Ｂを定義する。画素定義膜ＰＤＬによって発光領域ＰＸＡ−Ｒ、ＰＸＡ−Ｇ、ＰＸＡ−Ｂと非発光領域ＮＰＸＡが区分される。
【００６６】
青色発光領域ＰＸＡ−Ｂと赤色発光領域ＰＸＡ−Ｒは、第１方向軸ＤＲ１に沿って交互に配列されて第１グループＰＸＧ１を構成する。緑色発光領域ＰＸＡ−Ｇは、第１方向軸ＤＲ１に沿って配列されて第２グループＰＸＧ２を構成する。
【００６７】
第１グループＰＸＧ１は、第２グループＰＸＧ２に対して第２方向軸ＤＲ２の方向に離隔されて配置される。第１グループＰＸＧ１及び第２グループＰＸＧ２それぞれは、複数に提供される。第１グループＰＸＧ１と第２グループＰＸＧ２は、第２方向軸ＤＲ２に沿って互いに交互に配列される。
【００６８】
一つの緑色発光領域ＰＸＡ−Ｇは、一つの青色発光領域ＰＸＡ−Ｂまたは一つの赤色発光領域ＰＸＡ−Ｒから第４方向軸ＤＲ４の方向に離隔されて配置される。第４方向軸ＤＲ４の方向は、第１方向軸ＤＲ１の方向と第２方向軸ＤＲ２の方向との間の方向である。
【００６９】
図３に示した発光領域ＰＸＡ−Ｒ、ＰＸＡ−Ｇ、ＰＸＡ−Ｂの配列構造は、ペンタイル構造と称される。但し、一実施例による表示装置ＤＳにおける発光領域ＰＸＡ−Ｒ、ＰＸＡ−Ｇ、ＰＸＡ−Ｂの配列構造は、図３に示した配列構造に限らない。例えば、一実施例において、発光領域ＰＸＡ−Ｒ、ＰＸＡ−Ｇ、ＰＸＡ−Ｂは、第１方向軸ＤＲ１に沿って赤色発光領域ＰＸＡ−Ｒ、緑色発光領域ＰＸＡ−Ｇ、及び青色発光領域ＰＸＡ−Ｂが順次に交互に配列されるストライプ構造を有してもよい。
【００７０】
図４及び図５を参照すると、一実施例の表示装置ＤＳに含まれた有機電界発光素子ＯＥＬ−１、ＯＥＬ−２、ＯＥＬ−３それぞれは、互いに向かい合う第１電極ＥＬ１と第２電極ＥＬ２、及び第１電極ＥＬ１と第２電極ＥＬ２との間に配置される有機層ＯＬ１、ＯＬ２、ＯＬ３を含む。有機層ＯＬ１、ＯＬ２、ＯＬ３それぞれは、正孔輸送領域ＨＴＲ、発光層ＥＭＬ１、ＥＭＬ２、ＥＭＬ３、及び電子輸送領域ＥＴＲを含む。
【００７１】
つまり、有機電界発光素子ＯＥＬ−１、ＯＥＬ−２、ＯＥＬ−３それぞれは、第１電極ＥＬ１、第１電極ＥＬ１の上に配置される正孔輸送領域ＨＴＲ、正孔輸送領域ＨＴＲの上に配置される発光層ＥＭＬ１、ＥＭＬ２、ＥＭＬ３、発光層ＥＭＬ１、ＥＭＬ２、ＥＭＬ３の上に配置される電子輸送領域ＥＴＲ、及び電子輸送領域ＥＴＲの上に配置される第２電極ＥＬ２を含む。発光層ＥＭＬ１、ＥＭＬ２、ＥＭＬ３は、画素定義膜ＰＤＬによって区分される。
【００７２】
一方、図示していないが、一実施例において、有機電界発光素子ＯＥＬ−１、ＯＥＬ−２、ＯＥＬ−３は、第１電極ＥＬ１と第２電極ＥＬ２との間に少なくとも一つの補助層（図示せず）を更に含む。補助層（図示せず）の有無、補助層（図示せず）の厚さ、及び補助層（図示せず）の個数は、放出する光の波長領域に応じて異なり得る。補助層（図示せず）は、各有機電界発光素子ＯＥＬ−１、ＯＥＬ−２、ＯＥＬ−３における共振距離を調節するための有機層である。
【００７３】
有機電界発光素子ＯＥＬの上には封止部材ＴＦＥが配置されるが、封止部材ＴＦＥは第２電極ＥＬ２の上に配置される。封止部材ＴＦＥは、第２電極ＥＬ２の上に直接配置される。封止部材ＴＦＥは、一層または複数の層が積層されている。封止部材ＴＦＥは、薄膜封止層である。封止部材ＴＦＥは、有機電界発光素子ＯＥＬ−１、ＯＥＬ−２、ＯＥＬ−３を保護する。封止部材ＴＦＥは、開口部ＯＨに配置された第２電極ＥＬ２の上部面をカバーし、開口部ＯＨを埋める。
【００７４】
図５は、一実施例の表示パネルＤＰに含まれた有機電界発光素子ＯＥＬ−１、ＯＥＬ−２、ＯＥＬ−３の一実例を示す断面図であり、図５に示した有機電界発光素子ＯＥＬは、図４における有機電界発光素子ＯＥＬ−１、ＯＥＬ−２、ＯＥＬ−３を例示的に示している。
【００７５】
有機電界発光素子ＯＥＬは、第１電極Ｅ１、第１電極ＥＬ１の上に配置された正孔輸送領域ＨＴＲ、正孔輸送領域ＨＴＲの上に配置された発光層ＥＭＬ、発光層ＥＭＬの上に配置された電子輸送領域ＥＴＲ、及び電子輸送領域ＥＴＲの上に配置された第２電極ＥＬ２を含み、正孔輸送領域ＥＨＲは、正孔注入層ＨＩＬ及び正孔輸送層ＨＴＬを含み、電気輸送領域ＥＴＲは、電子注入層ＥＩＬ及び電子輸送層ＥＴＬを含む。
【００７６】
有機電界発光素子ＯＥＬを構成する第１電極ＥＬ１は導電性を有する。第１電極層ＥＬ１は、金属合金または導電性化合物からなる。第１電極層ＥＬ１はアノード（ａｎｏｄｅ)である。第１電極ＥＬ１は画素電極である。
【００７７】
一実施例による有機電界発光素子ＯＥＬにおいて、第１電極ＥＬ１は反射型電極である。しかし、実施例はこれに限らない。例えば、第１電極ＥＬ１は、透過型電極または半透過型電極であってもよい。第１電極ＥＬ１が半透過型電極または反射型電極であれば、第１電極ＥＬ１はＡｇ、Ｍｇ、Ｃｕ、Ａｌ、Ｐｔ、Ｐｄ、Ａｕ、Ｎｉ、Ｎｄ、Ｉｒ、Ｃｒ、Ｌｉ、Ｃａ、ＬｉＦ／Ｃａ、ＬｉＦ／Ａｌ、Ｍｏ、Ｔｉ、またはこれらの化合物や混合物（例えば、ＡｇとＭｇの混合物）を含む。また、前記例示された物質からなる反射膜や半透過膜、及びＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＺｎＯ（ｚｉｎｃ  ｏｘｉｄｅ）、ＩＴＺＯ（ｉｎｄｉｕｍ  ｔｉｎ  ｚｉｎｃ  ｏｘｉｄｅ）などからなる透明導電膜を含む複数の層構造であってもよい。例えば、第１電極ＥＬ１は多層金属膜であってもよく、ＩＴＯ／Ａｇ／ＩＴＯの金属膜が積層された構造であってもよい。
【００７８】
正孔輸送領域ＨＴＲは、単一物質からなる単一層、複数の互いに異なる物質で形成された単一層、または複数の互いに異なる物質で形成された複数の層を有する多層構造を有する。例えば、正孔輸送領域ＨＴＲは、複数の互いに異なる物質からなる単一層の構造を有するか、第１電極ＥＬ１から順番に積層された正孔注入層ＨＩＬ／正孔輸送層ＨＴＬ、正孔注入層ＨＩＬ／正孔輸送層ＨＴＬ／バッファ層（図示せず）、正孔注入層ＨＩＬ／バッファ層（図示せず）、正孔輸送層ＨＴＬ／バッファ層（図示せず）、または正孔注入層ＨＩＬ／正孔輸送層ＨＴＬ／電子阻止層（図示せず）の構造を有してもよいが、実施例はこれに限らない。
【００７９】
例えば、正孔輸送領域ＨＴＲは正孔注入層ＨＩＬ及び正孔輸送層ＨＴＬを含んでもよく、正孔注入層ＨＩＬと正孔輸送層ＨＴＬにはそれぞれ公知の正孔注入物質と公知の正孔輸送物質が使用されてもよい。
【００８０】
一方、正孔輸送領域ＨＴＲは、画素定義膜ＰＤＬに定義された開口部ＯＨ内で第１電極ＥＬ１の上に配置され、画素定義膜ＰＤＬの上部に延長されて配置される。しかし、実施例はこれに限らず、正孔輸送領域ＨＴＲは開口部ＯＨの内部に配置されるようにパターニングされてもよい。
【００８１】
発光層ＥＭＬは正孔輸送領域ＨＴＲの上に提供される。発光層ＥＭＬは、単一物質からなる単一層、複数の互いに異なる物質からなる単一層、または複数の互いに異なる物質からなる複数の層を有する多層構造を有する。
【００８２】
発光層ＥＭＬは通常に使用する物質であれば特に限らないが、例えば、赤色、緑色、及び青色を発光する物質からなってもよく、蛍光物質またはりん光物質を含んでもよい。また、発光層ＥＭＬはホスト及びドーパントを含む。例えば、図４及び図５を参照すると、発光層ＥＭＬは画素定義膜ＰＤＬに定義された開口部ＯＨ内に配置されてもよいが、実施例はこれに限らない。
【００８３】
電子輸送領域ＥＴＲは、発光層ＥＭＬの上に提供される。電子輸送領域ＥＴＲは、正孔阻止層（図示せず）、電子輸送層ＥＴＬ、及び電子注入層のＥＩＬうち少なくとも一つを含むが、これに限らない。
【００８４】
電子輸送領域ＥＴＲが電子注入層ＥＩＬ及び電子輸送層ＥＴＬを含めば、電子注入層ＥＩＬ及び電子輸送層ＥＴＬには、それぞれ公知の電子注入物質と公知の電子輸送物質が使用される。
【００８５】
第２電極ＥＬ２は、電子輸送領域ＥＴＲの上に提供される。第２電極ＥＬ２は、共通電極またはカソードである。第２電極ＥＬ２は、金属合金または導電性化合物からなる。第２電極ＥＬ２は、透過型電極、半透過型電極、または反射型電極である。第２電極層ＥＬ２が透過型電極であれば、第２電極層ＥＬ２透明金属酸化物、例えば、ＩＴＯ、ＩＺＯ、ＺｎＯ、ＩＴＺＯなどからなる。
【００８６】
第２電極ＥＬ２が半透過型電極または反射型電極であれば、第２電極ＥＬ２はＡｇ、Ｍｇ、Ｃｕ、Ａｌ、Ｐｔ、Ｐｄ、Ａｕ、Ｎｉ、Ｎｄ、Ｉｒ、Ｃｒ、Ｌｉ、Ｃａ、ＬｉＦ／Ｃａ、ＬｉＦ／Ａｌ、Ｍｏ、Ｔｉ、またはこれらの化合物や混合物（例えば、ＡｇとＭｇの混合物）を含む。また、前記例示した物質からなる反射膜や半透過膜、及びＩＴＯ、ＩＺＯ、ＺｎＯ、ＩＴＺＯなどあらなる透明導電膜を含む複数の層構造であってもよい。
【００８７】
図４を参照すると、電子輸送領域ＥＴＲ及び第２電極ＥＬ２は、第１電極ＥＬ１と重畳する領域だけでなく、画素定義膜ＰＤＬの上に更に延長されて配置される。一方、図示していないが、第２電極ＥＬ２は補助電極と接続される。第２電極ＥＬ２が補助電極と接続されれば、第２電極ＥＬ２の抵抗を減少させることができる。
【００８８】
一実施例の表示パネルＤＰにおいて、互いに向い合う第１電極ＥＬ１と第２電極ＥＬ２とのうち第１電極ＥＬ１は反射型電極で、第２電極ＥＬ２は透過型電極である。一実施例において、有機電界発光素子ＯＥＬは全面発光する。しかし、実施例はこれに限らない。
【００８９】
図４において、表示装置ＤＳは、表示パネルＤＰの上に配置されたカラーフィルタ部材ＣＦＰを含む。カラーフィルタ部材ＣＦＰは、複数のカラーフィルタ部ＣＣＦ１、ＣＣＦ２、ＣＣＦ３を含む。カラーフィルタ部ＣＣＦ１、ＣＣＦ２、ＣＣＦ３は、平面上において互いに離隔される。カラーフィルタ部ＣＣＦ１、ＣＣＦ２、ＣＣＦ３は、互いに非重畳する。
【００９０】
図３及び図を参照すると、平面上において、カラーフィルタ部ＣＣＦ１、ＣＣＦ２、ＣＣＦ３は互いに離隔され、カラーフィルタ部ＣＣＦ１、ＣＣＦ２、ＣＣＦ３それぞれは発光領域ＰＸＡ−Ｒ、ＰＸＡ−Ｇ、ＰＸＡ−Ｂそれぞれに対応して配置される。
【００９１】
一実施例において、第１カラーフィルタ部ＣＣＦ１は赤色光を透過させる赤色カラーフィルタであり、第２カラーフィルタ部ＣＣＦ２は緑色光を透過させる緑色カラーフィルタであり、第３カラーフィルタ部ＣＣＦ３は青色光を透過させる青色カラーフィルタである。カラーフィルタ部ＣＣＦ１、ＣＣＦ２、ＣＣＦ３のそれぞれは、高分子感光樹脂と、顔料または染料を含む。第１カラーフィルタ部ＣＣＦ１は赤色の顔料または染料を含み、第２カラーフィルタ部ＣＣＦ２は緑色の顔料または染料を含み、第３カラーフィルタ部ＣＣＦ３は青色の顔料または染料を含む。
【００９２】
一方、実施例はこれに限らず、第３カラーフィルタ部ＣＣＦ３は顔料または染料を含まなくてもよい。第３カラーフィルタ部ＣＣＦ３は高分子感光樹脂を含むか、または顔料または染料を含まなくてもよい。第３カラーフィルタ部ＣＣＦ３は透明である。第３カラーフィルタ部ＣＣＦ３は透明感光樹脂からなる。
【００９３】
一実施例の表示装置ＤＳにおいて、第１カラーフィルタ部ＣＣＦ１は第１有機電界発光素子ＯＥＬ−１に対応して配置され、第２カラーフィルタ部ＣＣＦ２は第２有機電界発光素子ＯＥＬ−２に対応して配置され、第３カラーフィルタ部ＣＣＦ３は第３有機電界発光素子ＯＥＬ−３に対応して配置される。例えば、第１カラーフィルタ部ＣＣＦ１は第１発光層ＥＭＬ１に対応して配置され、第２カラーフィルタ部ＣＣＦ２は第２発光層ＥＭＬ２に対応して配置され、第３カラーフィルタ部ＣＣＦ３は第３発光層ＥＭＬ３に対応して配置されてもよい。第１カラーフィルタ部ＣＣＦ１は赤色発光領域ＰＸＡ−Ｒに対応し、第２カラーフィルタ部ＣＣＦ２は緑色発光領域ＰＸＡ−Ｇに対応し、第３カラーフィルタ部ＣＣＦ３は青色発光領域ＰＸＡ−Ｂに対応する。
【００９４】
図６は、一実施例の表示装置ＤＳに含まれるカラーフィルタ部材ＣＦＰを示す断面図である。カラーフィルタ部材ＣＦＰは複数のカラーフィルタ部ＣＣＦ１、ＣＣＦ２、ＣＣＦ３を含み、数のカラーフィルタ部ＣＣＦ１、ＣＣＦ２、ＣＣＦ３のうち少なくとも一つは散乱剤ＳＰを含む。図６を参照すると、一実施例において、第１カラーフィルタ部ＣＣＦ１と第２カラーフィルタ部ＣＣＦ２は散乱剤ＳＰを含み、第３カラーフィルタ部ＣＣＦ３は散乱剤ＳＰを含まない。一方、これとは異なって、図示していないが、一実施例において、第１カラーフィルタ部ＣＣＦ１は散乱剤ＳＰを含み、第２カラーフィルタ部ＣＣＦ２と第３カラーフィルタ部ＣＣＦ３とが散乱剤ＳＰを含まなくてもよい。
【００９５】
カラーフィルタ部ＣＣＦ１、ＣＣＦ２、ＣＣＦ３は、高分子感光樹脂からなるマトリックス部ＭＲを含む。散乱剤ＳＰは、マトリックス部ＭＲに分散される。マトリックス部ＭＲは、高分子感光樹脂以外に顔料または染料を更に含む。一実施例において、第１カラーフィルタ部ＣＣＦ１と第２カラーフィルタ部ＣＣＦ２のマトリックス部ＭＲは顔料または染料を更に含み、第３カラーフィルタ部ＣＣＦ３は高分子感光樹脂を含み、顔料または染料は含まない。一方、一実施例において、第３カラーフィルタ部ＣＣＦ３は高分子感光樹脂及び顔料または染料を含むマトリックス部ＭＲを含んでもよい。
【００９６】
散乱剤ＳＰは、ＴｉＯ2、ＺｎＯ、Ａｌ2Ｏ3、ＳｉＯ2、中空シリカ、及びポリスチレン粒子のうち少なくとも一つを含む。散乱剤ＳＰは、ＴｉＯ2、ＺｎＯ、Ａｌ2Ｏ3、ＳｉＯ2、中空シリカ、及びポリスチレン粒子のうち少なくともいずれか一つを含むか、ＴｉＯ2、ＺｎＯ、Ａｌ2Ｏ3、ＳｉＯ2、中空シリカ、及びポリスチレン樹脂からなるポリスチレン粒子のうちから選択される２種以上の物質が混合されたものである。例えば、一実施例のカラーフィルタ部材ＣＦＰは、散乱剤ＳＰとしてＴｉＯ2を含んでもよい。
【００９７】
図７は、一実施例のカラーフィルタ部材に含まれた散乱剤の断面を示す図である。一実施例において、散乱剤ＳＰは球状の粒子である。一方、実施例はこれに限らず、散乱剤ＳＰは楕円球状であるか無定形であってもよい。
【００９８】
図７を参照すると、一実例において、散乱剤ＳＰの断面は円形である。しかし、実施例はこれに限らず、散乱剤ＳＰの断面は楕円状または無定形であってもよい。
【００９９】
散乱剤ＳＰの平均直径は、５００ｎｍ以下である。例えば、散乱剤ＳＰは平均直径が５０ｎｍ以上５００ｎｍ以下であってもよい。散乱剤ＳＰの平均直径は、例えば、複数個の散乱剤ＳＰの断面における直径ＤSPを算術平均した値である。
【０１００】
散乱剤ＳＰの平均直径が５０ｎｍ未満である場合、カラーフィルタ部ＣＣＦ１、ＣＣＦ２、ＣＣＦ３における散乱効果を示すために散乱剤ＳＰの含有量が相対的に増加するようになるが、この場合、カラーフィルタ部ＣＣＦ１、ＣＣＦ２、ＣＣＦ３における透過率が低下する恐れがある。また、散乱剤ＳＰの平均直径が５０ｎｍ未満に小さくなると、カラーフィルタ部ＣＣＦ１、ＣＣＦ２、ＣＣＦ３において視野角による相対的輝度値の変化が大きくなり、視野角による色差を減少させて表示品質を改善する効果が現れない恐れがある。
【０１０１】
また、散乱剤ＳＰの平均直径が５００ｎｍより大きくなれば、相対的に大きい粒子サイズのためカラーフィルタ部ＣＣＦ１、ＣＣＦ２、ＣＣＦ３を形成する際に膜性が低下する恐れがある。また、散乱剤ＳＰの平均直径が５００ｎｍより大きくなれば、工程においてカラーフィルタ部ＣＣＦ１、ＣＣＦ２、ＣＣＦ３を形成するために提供されるレジンをノズル（ｎｏｚｚｌｅ)から吐出することが難しくなる。つまり、散乱剤ＳＰの大きい直径のため、カラーフィルタ部ＣＣＦ１、ＣＣＦ２、ＣＣＦ３を形成する際に使用されるノズルの吐出口が詰まる恐れがある。
【０１０２】
図８は、散乱剤のサイズによる波長別視野角特性を示すグラフである。図８において、比較例は散乱剤の直径が２５ｎｍの場合を、実施例１−１は散乱剤の直径が５０ｎｍの場合を、実施例１−２は散乱剤の直径が２００ｎｍの場合を示している。比較例、実施例１−１、及び実施例１−２のそれぞれについて、波長別相対輝度を示した。輝度は４５０ｎｍ、５５０ｎｍ、６３０ｎｍの波長で評価した。図８は散乱剤を含むカラーフィルタ部における相対的輝度値を示しており、Ｘ軸はカラーフィルタ部を見る視野角の角度を示している。図８のＸ軸の角度は、正面を０°にする際の時計回りまたは反時計回りで１８０°までの角度を示す。一方、Ｘ軸の視野角角度において９０°以上は、０°を基準にする正面方向に対して後面方向に当たる。図８のＹ軸は、散乱剤によって散乱輝度を相対的に示す。また、図８において、Ｙ軸は最高輝度を１にした際を基準にした相対的な輝度を示す。
【０１０３】
図８を参照すると、比較例の場合、散乱剤の直径が５０ｎｍ未満であって正面である０°を基準に側面方向に９０°以上になる際、散乱剤による相対輝度値が増加することが分かる。これは、散乱剤による後方散乱（Ｂａｃｋ  ｓｃａｔｔｅｒｉｎｇ）が発生したためである。それに比べ、直径が５０ｎｍの散乱剤を使用した実施例１−１の場合、側面方向に９０°以上における後方散乱の程度が比較例に比べ大きくないことが分かる。また、実施例１−２の場合、比較例及び実施例１−１に比後方散乱の発生程度が著しく減少しており、全ての波長（４５０ｎｍ、５５０ｎｍ、６３０ｎｍ）において正面と側面の視野角による相対的輝度の差も減っていることが分かる。
【０１０４】
つまり、散乱剤の直径が５０ｎｍ未満の場合、後方散乱が大きくなり、前面への輝度が減少するため、散乱剤の直径は５０ｎｍ以上であることが好ましい。また、散乱剤の直径が増加するほど、波長による輝度の差が減ることが分かる。
【０１０５】
つまり、一実施例の表示装置ＤＳに使用されたカラーフィルタ部材ＣＦＰは、５０ｎｍ以上の平均直径を有する散乱剤ＳＰを含むことで正面輝度の減少を最小化しながら視野角による輝度差を減少させることができ、それによって視野角による表示品質の差を改善することができる。また、カラーフィルタ部材ＣＦＰは５００ｎｍ以下の平均直径を有する散乱剤を含むことで良好な膜性を有することができ、それによって良好な表示品質を示すことができる。
【０１０６】
更に図６を参照すると、一実施例において、カラーフィルタ部材ＣＦＰは、カラーフィルタ部ＣＣＦ１、ＣＣＦ２、ＣＣＦ３の間に配置される遮光部ＢＭを更に含む。図３及び図４を参照すると、複数個のカラーフィルタ部ＣＣＦ１、ＣＣＦ２、ＣＣＦ３は、第１方向軸ＤＲ１及び第２方向軸ＤＲ２が定義する平面上において互いに離隔して配列される。
【０１０７】
互いに離隔して配置されるカラーフィルタ部ＣＣＦ１、ＣＣＦ２、ＣＣＦ３の間には遮光部ＢＭが配置されるが、遮光部ＢＭはブラックマトリックスである。遮光部ＢＭは、ブラック顔料または染料を含む有機遮光物質または無機遮光物質を含んで形成される。遮光部ＢＭは光漏れ現象を防止し、隣接するカラーフィルタ部ＣＣＦ１、ＣＣＦ２、ＣＣＦ３の間の境界を区分する。
【０１０８】
一方、遮光部ＢＭの少なくとも一部分は隣り合うカラーフィルタ部ＣＣＦ１、ＣＣＦ２、ＣＣＦ３と重畳して配置される。つまり、第１方向軸ＤＲ１と第２方向軸ＤＲ２とが定義する平面上において、遮光部ＢＭは厚さ方向に隣り合うカラーフィルタ部ＣＣＦ１、ＣＣＦ２、ＣＣＦ３と少なくとも一部分が重畳されるように配置される。
【０１０９】
一実施例のカラーフィルタ部ＣＦＰは、有機層ＯＣを更に含む。有機層ＯＣは、カラーフィルタ部ＣＣＦ１、ＣＣＦ２、ＣＣＦ３の上に配置される。有機層ＯＣは、カラーフィルタ部ＣＣＦ１、ＣＣＦ２、ＣＣＦ３の凹凸を囲んで配置される。つまり、一実施例によるカラーフィルタ部ＣＦＰに対して、有機層ＯＣは平坦化層である。有機層ＯＣはカラーフィルタ部ＣＣＦ１、ＣＣＦ２、ＣＣＦと遮光部ＢＭとの間を充填して配置され、外部に露出されるカラーフィルタ部材ＣＦＰの上部面を平坦にする。
【０１１０】
一方、本明細書の図面において、有機層ＯＣはカラーフィルタ部ＣＣＦ１、ＣＣＦ２、ＣＣＦの上側に配置されると示されているが、実施例はこれに限らず、有機層ＯＣはカラーフィルタ部ＣＣＦ１、ＣＣＦ２、ＣＣＦの下側に配置されてもよい。例えば、有機層ＯＣは、表示素子層ＤＰ−ＯＥＬとカラーフィルタ部ＣＣＦ１、ＣＣＦ２、ＣＣＦ３との間に配置される。
【０１１１】
一方、有機層ＯＣは、カラーフィルタ部ＣＣＦ１、ＣＣＦ２、ＣＣＦ３を保護する保護層である。有機層ＯＣは透明である。有機層ＯＣは、高分子樹脂からなる。一方、有機層ＯＣは、高分子樹脂以外に機能性材料を更に含んでもよい。例えば、有機層ＯＣは、光吸収剤、酸化防止剤などの機能性物質を更に含んでもよい。また、後述する一実施例において、有機層ＯＣは散乱剤ＳＰを含む。
【０１１２】
図６に示した一実施例において、カラーフィルタ部材ＣＦＰのカラーフィルタ部ＣＣＦ１、ＣＣＦ２、ＣＣＦ３のうち相対的に短波長の光を透過させる部分である第３カラーフィルタ部ＣＣＦ３は、散乱剤ＳＰを含まない。第３カラーフィルタ部ＣＣＦ３に比べ相対的に長波長の光を透過させる第１カラーフィルタ部ＣＣＦ１と第２カラーフィルタ部ＣＣＦ２は、散乱剤ＳＰを含むことで第１カラーフィルタ部ＣＣＦ１と第２カラーフィルタ部ＣＣＦ２に入射される光を散乱させ、視野角による色差または視野角による輝度差を減らすことで表示装置ＤＳの表示品質を改善する。
【０１１３】
つまり、一実施例の表示装置ＤＳにおいて、有機電界発光素子ＯＥＬ−１、ＯＥＬ−２、ＯＥＬ−３の共振距離が同じであるとすると、相対的に長波長の光を放出する第１有機電界発光素子ＯＥＬ−１と第２有機電界発光素子ＯＥＬ−２とにおいて、視野角による輝度差が大きく現れる。それによって、第１有機電界発光素子ＯＥＬ−１と第２有機電界発光素子ＯＥＬ−２の上にそれぞれ配置された第１カラーフィルタ部ＣＣＦ１と第２カラーフィルタ部ＣＣＦ２に散乱剤を含ませて光を効果的に散乱させることで、視野角による色輝度差を減少させることができる。
【０１１４】
しかし、実施例はこれに限らず、一実施例によるカラーフィルタ部材ＣＦＰにおいて、第３カラーフィルタ部ＣＣＦ３は散乱剤ＳＰを更に含んでよい。
【０１１５】
図９は一実施例の表示装置に含まれたカラーフィルタ部材の他の実施例を示しており、一実施例において、カラーフィルタ部材ＣＦＰ−ａは複数のカラーフィルタ部ＣＣＦ１、ＣＣＦ２、ＣＣＦ３を含む。一実施例のカラーフィルタ部材ＣＦＰ−ａにおいて、カラーフィルタ部ＣＣＦ１、ＣＣＦ２、ＣＣＦ３それぞれは散乱剤ＳＰを含む。カラーフィルタ部ＣＣＦ１、ＣＣＦ２、ＣＣＦ３において、散乱剤ＳＰはマトリックス部ＭＲに分散される。図９に示した一実施例のカラーフィルタ部材ＣＦＰ−ａは、上述した図６のカラーフィルタ部材ＣＦＰに比べ、第３カラーフィルタ部ＣＣＦ３にも散乱剤ＳＰを更に含むことに差がある。一方、カラーフィルタ部ＣＣＦ１、ＣＣＦ２、ＣＣＦ３それぞれは、互いに異なる種類の散乱剤ＳＰを含んでもよい。また、カラーフィルタ部ＣＣＦ１、ＣＣＦ２、ＣＣＦ３それぞれに含まれた散乱剤ＳＰの含有量は互いに異なってもよく同じであってもよく、カラーフィルタ部ＣＣＦ１、ＣＣＦ２、ＣＣＦ３のそれぞれに含まれた散乱剤ＳＰのサイズは互いに異なるかまたは同じであってもよい。
【０１１６】
第１乃至第３カラーフィルタ部ＣＣＦ１、ＣＣＦ２、ＣＣＦ３に含まれた散乱剤ＳＰの含有量は類似している。第１乃至第３カラーフィルタ部ＣＣＦ１、ＣＣＦ２、ＣＣＦ３それぞれに含まれた散乱剤ＳＰの含有量は、第１乃至第３カラーフィルタ部ＣＣＦ１、ＣＣＦ２、ＣＣＦ３それぞれの全体重量を基準に０ｗｔ％より大きく１０ｗｔ％以下である。第１乃至第３カラーフィルタ部ＣＣＦ１、ＣＣＦ２、ＣＣＦ３それぞれに含まれた散乱剤ＳＰの含有量は、マトリックス部ＭＲと散乱剤ＳＰの含有量の合計１００ｗｔ％を基準に０ｗｔ％より大きく１０ｗｔ％以下である。例えば、赤色カラーフィルタ部である第１カラーフィルタ部ＣＣＦ１は、散乱剤を０ｗｔ％より大きく１０ｗｔ％以下に含んでもよい。
【０１１７】
一実施例において、第１乃至第３カラーフィルタ部ＣＣＦ１、ＣＣＦ２、ＣＣＦ３は散乱剤ＳＰを０ｗｔ％より多く含むことで、視野角による色輝度差を減少させることができる。但し、散乱剤ＳＰの含有量が１０ｗｔ％より大きくなれば、第１乃至第３カラーフィルタ部ＣＣＦ１、ＣＣＦ２、ＣＣＦ３を成形する際に散乱剤ＳＰが露光工程に影響を及ぼし、第１乃至第３カラーフィルタ部ＣＣＦ１、ＣＣＦ２、ＣＣＦ３の製造が難しくなる恐れがある。第１乃至第３カラーフィルタ部ＣＣＦ１、ＣＣＦ２、ＣＣＦ３は、それぞれ以下の割合で散乱剤ＳＰを含む。下記表１は、第１乃至第３カラーフィルタ部ＣＣＦ１、ＣＣＦ２、ＣＣＦ３に含まれる散乱剤の割合を異なるようにした実施例に対する正面輝度率とＷＡＤ改善率を示す。
【０１１８】
表１において、正面輝度率は、散乱剤を含まないカラーフィルタ部を基準にする際の正面における表示装置の輝度の減少程度を示す。また、ＷＡＤ改善率は、正面対比側面全角度における表示装置の色差（Δｕ'ｖ'）の改善程度を示し、散乱剤を含まない場合での色差を基準に実施例における色差の改善割合を示す。例えば、実施例１において、正面輝度率−２７％は、散乱剤を含まないカラーフィルタ部の正面輝度を１００にする際、２７％の輝度が減少されたことを示す。また、実施例１において、ＷＡＤ改善率５０％は、散乱剤を含まないカラーフィルタ部の色差値を基準に実施例１における色差値の減少程度を割合で示す。
【０１１９】
【表１】
2020034900.tif 000003
【０１２０】
表１の実施例では、第１カラーフィルタ部ＣＣＦ１に含まれた散乱剤ＳＰの含有量を１．０にする際、第２カラーフィルタ部ＣＣＦ２及び第３カラーフィルタ部ＣＣＦ３に含まれた散乱剤ＳＰの含有量を相対的に示している。実施例１は第１カラーフィルタ部ＣＣＦ１、第２カラーフィルタ部ＣＣＦ２、及び第３カラーフィルタ部ＣＣＦ３において散乱剤を１：０．５：０．４の割合で含む場合であり、実施例２は散乱剤を１：０．８：０．６の割合で含む場合であり、実施例３は散乱剤を１：０．６：０．４の割合で含む場合であり、実施例４は第１カラーフィルタ部ＣＣＦ１、第２カラーフィルタ部ＣＣＦ２、及び第３カラーフィルタ部ＣＣＦにおいて散乱剤を同じ含有量で含む場合に当たる。
【０１２１】
一実施例において、第１カラーフィルタ部ＣＣＦ１、第２カラーフィルタ部ＣＣＦ２、及び第３カラーフィルタ部ＣＣＦに含まれる散乱剤の含有量割合は１：ｘ：ｙであるが、この際、ｘは０．５以上１以下、ｙは０以上１以下、ｘはｙ以上である。
【０１２２】
つまり、第１カラーフィルタ部ＣＣＦ１に含まれた散乱剤ＳＰの含有量である第１含有量と、第２カラーフィルタ部ＣＣＦ２に含まれた散乱剤ＳＰの第２含有量は、１：０．５乃至１：１である。また、第１カラーフィルタ部ＣＣＦ１に含まれた散乱剤ＳＰの含有量である第１含有量と、第３カラーフィルタ部ＣＣＦ３に含まれた散乱剤ＳＰの第３含有量は、１：０乃至１：１である。また、表１の結果を参照すると、第１カラーフィルタ部ＣＣＦ１に含まれた散乱剤ＳＰの含有量である第１含有量と、第２カラーフィルタ部ＣＣＦ２に含まれた散乱剤ＳＰの第２含有量は１：０．５乃至１：１であり、第１カラーフィルタ部ＣＣＦ１に含まれた散乱剤ＳＰの含有量である第１含有量と、第３カラーフィルタ部ＣＣＦ３に含まれた散乱剤ＳＰの第３含有量は１：０．４乃至１：１である。
【０１２３】
一方、一実施例の表示装置の場合、カラーフィルタ部に散乱剤を追加することで正面輝度の減少が一部発生するが、このような正面輝度の減少率が３０％以下であれば良好な輝度値を示すとみなされる。よって、一実施例の表示装置が３０％以下の輝度減少率を示しながらＷＡＤ値が改善されれば、表示装置の表示品質が改善されたとみなされる。
【０１２４】
表１を更に参照すると、全ての実施例において、輝度減少率は３０％未満に示されており、ＷＡＤ値は全て改善されていることが分かる。つまり、カラーフィルタ部に散乱剤を含む実施例の場合、散乱剤を含まない場合に比べ、改善された表示品質を有することが分かる。
【０１２５】
また、表１を参照する際、実施例のうち実施例１のＷＡＤ改善率が最も高く示されていることから、第１カラーフィルタ部ＣＣＦ１、第２カラーフィルタＣＣＦ２、及び第３カラーフィルタＣＣＦ３において散乱剤を１：０．５：０．４の割合で含む場合が、第１カラーフィルタ部ＣＣＦ１、第２カラーフィルタＣＣＦ２、及び第３カラーフィルタＣＣＦ３において散乱剤を１：１：１の割合で含む場合より改善された表示品質を示すことが分かる。
【０１２６】
図１０は、一実施例の表示装置に含まれるカラーフィルタ部材の他の実施例を示している。一実施例において、カラーフィルタ部材ＣＦＰ−ｂは、複数のカラーフィルタ部ＣＣＦ１、ＣＣＦ２、ＣＣＦ３を含む。カラーフィルタ部ＣＣＦ１、ＣＣＦ２、ＣＣＦ３それぞれは、散乱剤ＳＰを含む。カラーフィルタ部ＣＣＦ１、ＣＣＦ２、ＣＣＦ３において、散乱剤ＳＰはマトリックス部ＭＲに分散される。図１０に示した一実施例のカラーフィルタ部材ＣＦＰ−ｂは、上述した図６のカラーフィルタ部材ＣＦＰに比べ、第３カラーフィルタ部ＣＣＦ３にも散乱剤ＳＰを更に含むことに差がある。
【０１２７】
また、図１０に示した一実施例のカラーフィルタ部材ＣＦＰ−ｂは、第１乃至第３カラーフィルタ部ＣＣＦ１、ＣＣＦ２、ＣＣＦ３それぞれに含まれた散乱剤ＳＰの含有量が互いに異なる場合に当たる。第１カラーフィルタ部ＣＣＦ１に含まれた散乱剤ＳＰの含有量は、第２カラーフィルタ部ＣＣＦ２及び第３カラーフィルタ部ＣＣＦ３に含まれた散乱剤ＳＰの含有量以上である。
【０１２８】
例えば、第１カラーフィルタ部ＣＣＦ１に含まれた散乱剤ＳＰの第１含有量は、第２カラーフィルタ部ＣＣＦ２に含まれた散乱剤ＳＰの第２含有量、及び第３カラーフィルタ部ＣＣＦ３に含まれた散乱剤ＳＰの第３含有量より大きくてもよい。詳しくは、第１乃至第３カラーフィルタ部ＣＣＦ１、ＣＣＦ２、ＣＣＦ３における散乱剤の含有量は、第１含有量＞第２含有量＞第３含有量の関係を有する。また、これとは異なって、第１含有量と第２含有量は同じで、第１含有量は第３含有量より大きくてもよい。
【０１２９】
つまり、一実施例によるカラーフィルタ部材ＣＦＰ−ｂにおいては、互いに異なる波長領域の光を透過させる第１カラーフィルタ部ＣＣＦ１、第２カラーフィルタ部ＣＣＦ２、及び第３カラーフィルタ部ＣＣＦ３における散乱剤の含有量は互いに異なり、相対的に長波長の光を透過させるカラーフィルタ部であるほど相対的に大量の散乱剤を含む。
【０１３０】
但し、実施例はこれに限らず、表示装置ＤＳに使用された第１乃至第３有機電界発光素子ＯＥＬ−１、ＯＥＬ−２、ＯＥＬ−３の素子構造によって、第１乃至第３カラーフィルタ部ＣＣＦ１、ＣＣＦ２、ＣＣＦ３に含まれた散乱剤の含有量が相対的に調節されてもよい。
【０１３１】
一方、カラーフィルタ部ＣＣＦ１、ＣＣＦ２、ＣＣＦ３において、散乱剤ＳＰの屈折率とマトリックス部ＭＲの屈折率は互いに異なり得る。散乱剤ＳＰとマトリックス部ＭＲの屈折率の差のため、カラーフィルタ部ＣＣＦ１、ＣＣＦ２、ＣＣＦ３に入射した光が効果的に散乱される。散乱剤ＳＰとマトリックス部ＭＲの屈折率の差（Δｎ）は、０．０５以上０．１以下である。
【０１３２】
図１１は、ヘーズと正面輝度減少率の関係を示している。つまり、ヘーズ値が増加するほど正面輝度減少率は増加する。図１１の結果を参照すると、ヘーズ値の増加につれ輝度減少率は線形的に増加する。よって、正面輝度減少率を２５％以下に維持するために、カラーフィルタ部材ＣＦＰのヘーズ値は３０％以下に調整されることが好ましい。例えば、一実施例のカラーフィルタ部材ＣＦＰにおいて、カラーフィルタ部ＣＣＦ１、ＣＣＦ２、ＣＣＦ３それぞれのヘーズ値は３０％以下であってもよい。
【０１３３】
つまり、カラーフィルタ部ＣＣＦ１、ＣＣＦ２、ＣＣＦ３は平均直径が５０ｎｍ以上５００ｎｍ以下の散乱剤ＳＰを含むことで、カラーフィルタ部ＣＣＦ１、ＣＣＦ２、ＣＣＦ３に入射した光を効果的に散乱させて視野角による色輝度の差を減らし、カラーフィルタ部ＣＣＦ１、ＣＣＦ２、ＣＣＦ３は散乱剤ＳＰを１０ｗｔ％以下で含むことで、ヘーズ値を３０％以下に維持して正面輝度の減少を最少化する。
【０１３４】
図１２は、カラーフィルタ部に含まれた散乱剤の含有量による正面輝度率の変化を示すグラフである。図１２を参照すると、第１カラーフィルタ部ＣＣＦ１、第２カラーフィルタ部ＣＣＦ２、及び第３カラーフィルタ部ＣＣＦ３全てにおいて、散乱剤の含有量が増加するほど正面輝度率が減少することが分かる。但し、相対的に長波長領域の光を透過させる第１カラーフィルタ部ＣＣＦ１の場合、第３カラーフィルタ部ＣＣＦ３に比べ同じ含有量の散乱剤で正面輝度率が高く示されることが分かる。つまり、第１乃至第３カラーフィルタ部ＣＣＦ１、ＣＣＦ２、ＣＣＦ３において同じ正面輝度率を示すために、第３カラーフィルタ部ＣＣＦ３に含まれた散乱剤の含有量は、第１カラーフィルタ部ＣＣＦ１に含まれた散乱剤の含有量より少ない量を含むように調節される。
【０１３５】
例えば、第１乃至第３カラーフィルタ部ＣＣＦ１、ＣＣＦ２、ＣＣＦ３において、類似した正面輝度率を示すようにするために、カラーフィルタ部ＣＣＦ１、ＣＣＦ２、ＣＣＦ３に含まれた散乱剤の含有量は、第１含有量≧第２含有量≧第３含有量に調節されるか、または第１含有量＞第２含有量＞第３含有量に調節される。ここで、第１含有量は第１カラーフィルタ部ＣＣＦ１に含まれた散乱剤の含有量であり、第２含有量は第２カラーフィルタ部ＣＣＦ２に含まれた散乱剤の含有量であり、第３含有量は第３カラーフィルタ部ＣＣＦ３に含まれた散乱剤の含有量である。
【０１３６】
図１３乃至図１４は、視野角である「Ｐｏｌａｒ  ａｎｇｌｅ（極角）」による色差（Δｕ'ｖ'）を示している。図１３は散乱剤の含有量による表示装置における色差を示し、図１４はカラーフィルタ部の厚さによる表示装置における色差を示す。
【０１３７】
図１３では、視野角による色差を散乱剤の含有量に応じて示している。図１３において、「Ｒｅｆｅｒｅｎｃｅ（リファレンス）」は偏光部材を使用した場合に当たり、残りはそれぞれカラーフィルタ部に散乱剤を０、０．３、０．６、１ｗｔ％で含む場合を示す。つまり、図１３において、「Ｒｅｆｅｒｅｎｃｅ（リファレンス）」は表示装置においてカラーフィルタ部材に代わって偏光部材を使用した場合を、残りは表示装置においてカラーフィルタ部材のカラーフィルタ部に散乱剤をそれぞれ０、０．３、０．６、１ｗｔ％で含む場合を示す。図１３を参照すると、散乱剤の含有量が増加するほど側面視野角における色差が減少することが分かる。つまり、一実施例の表示装置は、カラーフィルタ部に散乱剤を含むことで側面と正面における色差を減少させることができる。
【０１３８】
図１４では、視野角による色差をカラーフィルタ部の厚さに応じて示している。図１４において、「Ｒｅｆｅｒｅｎｃｅ（リファレンス）」は偏光部材を使用した場合に当たり、残りはそれぞれカラーフィルタ部に厚さを３μｍ、６μｍ、９μｍにした場合を示す。図１４において、「Ｒｅｆｅｒｅｎｃｅ（リファレンス）」は表示装置においてカラーフィルタ部材に代わって偏光部材を使用した場合を、残りは表示装置に対してカラーフィルタ部材のカラーフィルタ部の厚さがそれぞれ３μｍ、６μｍ、９μｍである場合を示す。図１４を参照すると、カラーフィルタ部の厚さが増加するほど側面視野角における色差が減少することが分かる。一方、カラーフィルタ部の厚さの増加は、カラーフィルタ部における散乱剤の総量が増加することを意味する。つまり、カラーフィルタ部において、単位体積当たりに含まれた散乱剤の含有量が同じであれば、カラーフィルタ部の厚さが増加するほどカラーフィルタ部に含まれた散乱剤の絶対量は増加するためである。よって、図１４は、散乱剤の総含有量の増加によってカラーフィルタ部に入射した光の散乱程度が大きくなり、側面と正面における色差を減少させることができるということを示している。
【０１３９】
図１５及び図１６は、それぞれ一実施例のカラーフィルタ部材に対する断面図である。図１５乃至図１６に示した一実施例によるカラーフィルタ部材ＣＦＣ−ｃ、ＣＦＣ−ｄは、一実施例の表示装置ＤＳ（図１）に含まれる。
【０１４０】
図１５に示した一実施例によるカラーフィルタ部材ＣＦＰ−ｃは、図６に示したカラーフィルタ部材ＣＦＰに比べ、有機層ＯＣに散乱剤ＳＰを更に含むことに差がある。また、図１６に示した一実施例によるカラーフィルタ部材ＣＦＰ−ｄは、図１０に示した一実施例によるカラーフィルタ部材ＣＦＰ−ｂに比べ、有機層ＯＣに散乱剤ＳＰを更に含むことに差がある。一方、図１５及び図１６に示した一実施例のカラーフィルタ部材ＣＦＣ−ｄ、ＣＦＣ−ｄに関する説明において、有機層ＯＣが散乱剤ＳＰを含むこと以外に、散乱剤ＳＰ及びカラーフィルタ部ＣＣＦ１、ＣＣＦ２、ＣＣＦ３に関しては図６及び図１０などで説明した内容と同じ内容が適用される。
【０１４１】
つまり、一実施例によるカラーフィルタ部材ＣＦＰ−ｃ、ＣＦＰ−ｄは、複数のカラーフィルタ部ＣＣＦ１、ＣＣＦ２、ＣＣＦ３、及びカラーフィルタ部ＣＣＦ１、ＣＣＦ２、ＣＣＦ３の上に配置された有機層ＯＣを含み、複数のカラーフィルタ部ＣＣＦ１、ＣＣＦ２、ＣＣＦ３のうち少なくとも一つと有機層ＯＣに散乱剤ＳＰを含む。カラーフィルタ部ＣＣＦ１、ＣＣＦ２、ＣＣＦ３のうち少なくとも一つと有機層ＯＣに含まれた散乱剤ＳＰの平均直径は、５０ｎｍ以上５００ｎｍ以下である。有機層ＯＣを形成する高分子樹脂と散乱剤ＳＰの屈折率の差（Δｎ）は、０．０５以上０．１以下である。
【０１４２】
一実施例によるカラーフィルタ部材ＣＦＰ−ｃ、ＣＦＰ−ｄにおいて、カラーフィルタ部ＣＣＦ１、ＣＣＦ２、ＣＣＦ３以外に有機層ＯＣにも散乱剤ＳＰを含むことで、相対的にカラーフィルタ部ＣＣＦ１、ＣＣＦ２、ＣＣＦ３に含まれる散乱剤ＳＰの含有量を減少させた場合でも、視野角による表示品質の差を改善する効果を奏することができる。
【０１４３】
一実施例によるカラーフィルタ部材ＣＦＰ−ｃ、ＣＦＰ−ｄの場合、有機層ＯＣに散乱剤ＳＰを含むことで、カラーフィルタ部ＣＣＦ１、ＣＣＦ２、ＣＣＦ３に含まれるべき散乱剤ＳＰの含有量を、有機層ＯＣに散乱剤ＳＰを含まない場合に比べ相対的に減少させることができる。それによって、過度な散乱剤ＳＰの追加のためカラーフィルタ部ＣＣＦ１、ＣＣＦ２、ＣＣＦ３を形成する際に発生し得る、カラーフィルタ部ＣＣＦ１、ＣＣＦ２、ＣＣＦ３のマトリックス部が硬化しない問題を減らすことができる。つまり、カラーフィルタ部ＣＣＦ１、ＣＣＦ２、ＣＣＦ３以外に有機層ＯＣにも散乱剤ＳＰを含むことで、散乱剤ＳＰの追加による光学特性の改善効果をそのまま奏しながらも、カラーフィルタ部ＣＣＦ１、ＣＣＦ２、ＣＣＦ３を形成する際の工程性も改善することができる。
【０１４４】
一方、有機層ＯＣに含まれた散乱剤ＳＰの含有量は、複数のカラーフィルタ部ＣＣＦ１、ＣＣＦ２、ＣＣＦ３のうち散乱剤ＳＰを含むカラーフィルタ部に含まれる散乱剤ＳＰの含有量より大きい。例えば、複数個のカラーフィルタ部ＣＣＦ１、ＣＣＦ２、ＣＣＦ３がそれぞれ散乱剤ＳＰを含んでもよく、散乱剤ＳＰを含むカラーフィルタ部ＣＣＦ１、ＣＣＦ２、ＣＣＦ３それぞれに含まれた散乱剤ＳＰの含有量は、有機層ＯＣに含まされる散乱剤ＳＰの含有量より大きくてもよい。
【０１４５】
一実施例において、カラーフィルタ部ＣＣＦ１、ＣＣＦ２、ＣＣＦ３それぞれに含まれた散乱剤ＳＰの含有量は、カラーフィルタ部ＣＣＦ１、ＣＣＦ２、ＣＣＦ３それぞれの全体重量を基準に０ｗｔ％より大きく１０ｗｔ％以下である。また、有機層ＯＣに含まれた散乱剤ＳＰの含有量は、有機層ＯＣの全体重量を基準に５ｗｔ％以上５０ｗｔ％以下である。有機層ＯＣに含まれた散乱剤ＳＰの含有量が５ｗｔ％未満であれば、視野角による色差低減効果の改善が十分ではなく、有機層ＯＣに含まれた散乱剤ＳＰの含有量が５０ｗｔ％より大きくなれば、散乱剤ＳＰの過度な含有量のため表示装置の輝度が減少する恐れがある。
【０１４６】
図１５に示した一実施例のカラーフィルタ部材ＣＦＰ−ｃにおいて、第１カラーフィルタ部ＣＣＦ１は赤色光を透過させ、第２カラーフィルタ部ＣＣＦ２は緑色光を透過させる。第３カラーフィルタ部ＣＣＦ３は青色光を透過させる青色フィルタであるか、または第３カラーフィルタ部ＣＣＦ３は透明感光樹脂からなる透明フィルタである。図１５を参照すると、第１カラーフィルタ部ＣＣＦ１及び第２カラーフィルタ部ＣＣＦ２は散乱剤ＳＰを含み、第３カラーフィルタ部ＣＣＦ３は散乱剤ＳＰを含まない。また、図１５において、有機層ＯＣは散乱剤ＳＰを含む。
【０１４７】
例えば、有機層ＯＣは散乱剤ＳＰとしてＡｌ2Ｏ3を含み、第１カラーフィルタ部ＣＣＦ１は散乱剤ＳＰとしてＺｎＯを含み、第２カラーフィルタ部ＣＣＦ２は散乱剤ＳＰとしてＳｉＯ2を含み、第３カラーフィルタ部ＣＣＦ３は散乱剤を含まなくてもよい。詳しくは、有機層ＯＣは平均直径が３００ｎｍのＡｌ2Ｏ3を有機層の全体重量対比３０ｗｔ％含み、第１カラーフィルタ部ＣＣＦ１は平均直径が４００ｎｍのＺｎＯを第１カラーフィルタ部の全体重量対比８．５ｗｔ％含み、第２カラーフィルタ部ＣＣＦ２は平均直径が２００ｎｍのＳｉＯ2を第２カラーフィルタ部の全体重量対比５ｗｔ％含む。一方、提示した散乱剤の種類と、散乱剤の平均直径、及び散乱剤の含有量は例示的であり、本発明の範囲を逸脱しない範囲内で散乱剤の種類及び含有量は多様に組み合わされてもよい。
【０１４８】
図１６は、第１乃至第３カラーフィルタ部ＣＣＦ１、ＣＣＦ２、ＣＣＦ３それぞれに含まれた散乱剤ＳＰの含有量が互いに異なり、有機層ＯＣが散乱剤ＳＰを含む一実施例のカラーフィルタ部材ＣＦＰ−ｄを示す。例えば、第１カラーフィルタ部ＣＣＦ１に含まれた散乱剤ＳＰの第１含有量は、第２カラーフィルタ部ＣＣＦ２に含まれた散乱剤ＳＰの第２含有量、及び第３カラーフィルタ部ＣＣＦ３に含まれた散乱剤ＳＰの第３含有量より大きくてもよい。詳しくは、第１乃至第３カラーフィルタ部ＣＣＦ１、ＣＣＦ２、ＣＣＦ３における散乱剤の含有量は、第１含有量＞第２含有量＞第３含有量の関係を有する。また、これとは異なって、第１含有量と第２含有量は同じで、第１含有量は第３含有量より大きくてもよい。
【０１４９】
一方、有機層ＯＣに含まれた散乱剤ＳＰの第４含有量は、第１カラーフィルタ部乃至第３カラーフィルタ部ＣＣＦ１、ＣＣＦ２、ＣＣＦ３における散乱剤の含有量である第１乃至第３含有量それぞれより大きく、例えば、第１含有量＞第２含有量＞第３含有量＞第４含有量の関係を有してもよい。
【０１５０】
一方、図１６では第１乃至第３カラーフィルタ部ＣＣＦ１、ＣＣＦ２、ＣＣＦ３に含まれた散乱剤ＳＰの含有量が異なる場合を示しているが、実施例はこれに限らず、第１乃至第３カラーフィルタ部ＣＣＦ１、ＣＣＦ２、ＣＣＦ３に含まれた散乱剤ＳＰの含有量は同じであってもよく、この場合も有機層ＯＣ内に含まれた散乱剤ＳＰの含有量は、第１乃至第３カラーフィルタ部ＣＣＦ１、ＣＣＦ２、ＣＣＦ３それぞれに含まれた散乱剤の含有量より大きくてもよい。
【０１５１】
図１７は、視野角である「Ｐｏｌａｒ  ａｎｇｌｅ（極角）」による色差（Δｕ'ｖ'）を示している。図１７において、「Ｒｅｆｅｒｅｎｃｅ（リファレンス）」は偏光部材を使用した場合に当たり、実施例２−１はカラーフィルタ部にのみ散乱剤を含む場合を、実施例２−２はカラーフィルタ部及び有機層に散乱剤を含む場合を示す。実施例２−１は、第１カラーフィルタ部ＣＣＦ１が３．９ｗｔ％、第２カラーフィルタ部ＣＣＦ２が１．９ｗｔ％、第３カラーフィルタ部ＣＣＦ３が１．４ｗｔ％の散乱剤ＳＰをそれぞれ含む場合を示す。実施例２−２は、実施例２−１に追加して、有機層ＯＣに５．２ｗｔ％の散乱剤ＳＰを更に含む場合を示す。
【０１５２】
図１７を参照すると、「Ｒｅｆｅｒｅｎｃｅ（リファレンス）」に比べ、実施例２−１及び実施例２−２において側面視野角における色差が減少していることが分かる。また、実施例２−２は、実施例２−１に比べ改善された視野角特性を示すことが分かる。
【０１５３】
図１乃至図１０を参照して説明した一実施例の表示装置ＤＳにおいて、カラーフィルタ部材ＣＦＰは表示パネルＤＰの上に直接配置される。また、カラーフィルタ部材ＣＦＰは、封止部材ＴＦＥの上に直接配置される。一方、一実施例の表示装置ＤＳにおいては、カラーフィルタ部材ＣＦＰは含むが偏光部材は含まない。
【０１５４】
つまり、上述した一実施例の表示装置ＤＳは、表示パネルＤＰの上にカラーフィルタ部材ＣＦＰを配置することで、外光による反射を低減させて表示品質を改善することができる。また、一実施例の表示装置ＤＳは、表示パネルＤＰの上にカラーフィルタ部材ＣＦＰを含み、偏光部材を含まないことで、輝度の低減を最小化しながら外光による反射を減らすことで、改善された表示品質を示すことができる。また、一実施例の表示装置ＤＳは、カラーフィルタ部材ＣＦＰに平均直径が５０ｎｍ以上５００ｎｍ以下の散乱剤を含むことで、カラーフィルタ部材ＣＦＰに入射した光を効果的に分散させて視野角による色差を減少させ、ヘーズ値を３０％以下に維持して、輝度値を８５％以上に高く維持することができる。
【０１５５】
図１８は、一実施例の表示装置を示す断面図である。一実施例の表示装置ＤＳ−１は、図４などを参照して説明した一実施例の表示装置ＤＳに比べ、入力感知ユニットＴＳＵを更に含む。図１８は、上述した図３のＩＩ−ＩＩ'線に対応する部分の実施例を示している。
【０１５６】
図１８示した一実施例の表示装置ＤＳ−１は、複数の有機電界発光素子ＯＥＬ−１、ＯＥＬ−２、ＯＥＬ−３を含む表示パネルＤＰ、及び表示パネルＤＰの上に配置されたカラーフィルタ部材ＣＦＰを含む。図１８に示した一実施例の表示パネルＤＰ−１に関する説明において、表示領域ＤＰ及びカラーフィルタ部材ＣＦＰに関しては、上述した図１乃至図１０で説明した内容が同じく適用される。
【０１５７】
一実施例の表示装置ＤＳ−１において、入力感知ユニットＴＳＵは、表示パネルＤＰとカラーフィルタ部材ＣＦＰとの間に配置される。入力感知ユニットＴＳＵは、ユーザの直接タッチ、ユーザの間接タッチ、物体の直接タッチまたは物体の間接タッチを認識する。一方、入力感知ユニットＴＳＵは、外部から印加されるタッチの位置及びタッチの強度（圧力）のうち少なくともいずれか一つを感知する。本発明の一実施例における入力感知ユニットＴＳＵは多様な構造を有するか多様な物質からなってもよく、いずれか一つの実施例に限らない。例えば、一実施例の表示装置ＤＳ−１において、入力感知ユニットＴＳＵはタッチを感知するタッチ感知ユニットであってもよい。
【０１５８】
入力感知ユニットＴＳＵは、表示パネルＤＰの封止部材ＴＦＥの上に直接配置される。つまり、入力感知ユニットＴＳＵは、別途の接着部材なしに表示パネルＤＰの上に直接配置される。
【０１５９】
入力感知ユニットＴＳＵは、表示パネルＤＰとカラーフィルタ部材ＣＦＰとの間に配置される。一実施例において、カラーフィルタ部材ＣＦＰは入力感知ユニットＴＳＵの上に直接提供される。
【０１６０】
図１９は、一実施例の表示装置を示す断面図である。図２０は、図１９に示した一実施例の表示装置に含まれるカラーフィルタ部材ＣＦＰ−ｅを示す断面図である。一実施例の表示装置ＤＳ−２は、図４などを参照して説明した一実施例の表示装置ＤＳに比べ、カラーフィルタ部材ＣＦＰ−ｅの構造において一部差がある。図１９は、上述した図３のＩＩ−ＩＩ'線に対応する部分の実施例を示している。
【０１６１】
図１９示した一実施例の表示装置ＤＳ−２は、複数の有機電界発光素子ＯＥＬ−１、ＯＥＬ−２、ＯＥＬ−３を含む表示パネルＤＰ、及び表示パネルＤＰの上に配置されたカラーフィルタ部材ＣＦＰ−ｅを含む。カラーフィルタ部材ＣＦＰ−ｅは、複数のカラーフィルタ部ＣＣＦ１、ＣＣＦ２、ＣＣＦ３、及び遮光部ＢＭを含む。
【０１６２】
図１９に示した一実施例の表示パネルＤＳ−２に関する説明において、表示パネルＤＰ、カラーフィルタ部ＣＣＦ１、ＣＣＦ２、ＣＣＦ３、及び遮光部ＢＭに関しては、上述した図１乃至図１０で説明した内容が同じく適用される。
【０１６３】
図１９及び図２０を参照すると、一実施例において、カラーフィルタ部材ＣＦＰ−ｅはベース基板ＷＰを更に含む。ベース基板ＷＰは、カラーフィルタ部ＣＣＦ１、ＣＣＦ２、ＣＣＦ３、及び遮光部ＢＭの上に配置される。ベース基板ＷＰは、カラーフィルタ部ＣＣＦ１、ＣＣＦ２、ＣＣＦ３、及び遮光部ＢＭが提供される支持基板の役割をする。ベース基板ＷＰは、ガラス基板またはプラスチック基板である。
【０１６４】
ベース基板ＷＰは、表示装置ＤＳ−２の前面を定義する。ベース基板ＷＰは、外部の衝撃からカラーフィルタ部ＣＣＦ１、ＣＣＦ２、ＣＣＦ３を含む表示装置ＤＳ−２の内部構成要素を安定的に保護する。
【０１６５】
一方、図１９及び図２０を参照すると、一実施例によるカラーフィルタ部材ＣＦＰ−ｅにおいて、遮光部ＢＭは隣り合うカラーフィルタ部ＣＣＦ１、ＣＣＦ２、ＣＣＦ３の間に配置され、カラーフィルタ部ＣＣＦ１、ＣＣＦ２、ＣＣＦ３と重畳しない。しかし、実施例はこれに限らず、図示とは異なって、一実施例によるカラーフィルタ部材ＣＦＰ−ｅにおいて、遮光部ＢＭは隣り合うカラーフィルタ部ＣＣＦ１、ＣＣＦ２、ＣＣＦ３と少なくとも一部が重畳してもよい。
【０１６６】
一方、図１９において、カラーフィルタ部ＣＣＦ１、ＣＣＦ２、ＣＣＦ３は、それぞれマトリックス部ＭＲと、マトリックス部ＭＲに分散された散乱剤ＳＰを含む。しかし、実施例はこれに限らず、青色発光領域ＰＸＡ−Ｂに対応する第３カラーフィルタ部ＣＣＦ３は散乱剤ＳＰを含まなくてもよい。
【０１６７】
一実施例の表示装置は、表示パネルの上に配置されたカラーフィルタ部材を含むことで輝度減少を最小化しながらも外部光による反射を低減することができる。また、一実施例の表示装置において、カラーフィルタ部材の複数のカラーフィルタ部のうち少なくとも一つのカラーフィルタ部は、直径が５０ｎｍ以上５００ｎｍ以下の散乱剤を含むことで、ヘーズ値を最小化しながらも光を効果的に散乱させて、視野角による色差を減らして改善された表示品質を示すことができる。また、一実施例は表示パネルとカラーフィルタ部材を含み、カラーフィルタ部材は複数のカラーフィルタ部及び有機層を含み、複数のカラーフィルタ部のうち少なくとも一つのカラーフィルタ部と有機層にそれぞれ直径が５０ｎｍ以上５００ｎｍ以下の散乱剤を含むことで、カラーフィルタ部を提供する際に工程性が改善された表示装置、及び視野角による色差が減少して改善された表示品質を示す表示装置を提供することができる。
【０１６８】
これまで本発明の好ましい実施例を参照して説明したが、該当技術分野における熟練した当業者または該当技術分野における通常の知識を有する者であれば、後述する特許請求の範囲に記載された本発明の思想及び技術領域から逸脱しない範囲内で本発明を多様に修正及び変更し得ることを理解できるはずである。
【０１６９】
よって、本発明の技術的範囲は明細書の詳細な説明に記載されている内容に限らず、特許請求の範囲によって決められるべきである。
【符号の説明】
【０１７０】
ＤＳ、ＤＳ−１、ＤＳ−２：表示装置
ＤＰ：表示パネル
ＣＦＰ、ＣＦＰ−ａ、ＣＦＰ−ｂ、ＣＦＰ−ｃ：カラーフィルタ部材
ＣＣＦ１、ＣＣＦ２、ＣＣＦ３：カラーフィルタ部
ＳＰ：散乱剤
ＯＣ：有機層
【図１】
2020034900.tif 000004
【図２】
2020034900.tif 000005
【図３】
2020034900.tif 000006
【図４】
2020034900.tif 000007
【図５】
2020034900.tif 000008
【図６】
2020034900.tif 000009
【図７】
2020034900.tif 000010
【図８】
2020034900.tif 000011
【図９】
2020034900.tif 000012
【図１０】
2020034900.tif 000013
【図１１】
2020034900.tif 000014
【図１２】
2020034900.tif 000015
【図１３】
2020034900.tif 000016
【図１４】
2020034900.tif 000017
【図１５】
2020034900.tif 000018
【図１６】
2020034900.tif 000019
【図１７】
2020034900.tif 000020
【図１８】
2020034900.tif 000021
【図１９】
2020034900.tif 000022
【図２０】
2020034900.tif 000023